【事件の表示】
　特願２０１１−１０４５７４「地図出力装置、地図出力方法、およびプログラム」拒絶査定不服審判事件〔平成２４年１１月２９日出願公開、特開２０１２−２３４１３３〕について、次のとおり審決する。
【結　論】
　本件審判の請求は、成り立たない。
【理　由】
第１　手続の経緯　
　
　本願は、平成２３年５月９日の出願であって、平成２６年１０月３１日付けで手続補正書が提出され、平成２７年１月１５日付けで拒絶の査定がなされ、これに対し、平成２７年４月１６日付けで拒絶査定に対する審判請求がなされると同時に手続補正書が提出されて特許請求の範囲を補正する手続補正がなされたものである。　
　
　
第２　平成２７年４月１６日付け手続補正書による補正（以下「本件補正」という。）についての補正却下の決定　
　
［補正却下の決定の結論］　
　本件補正を却下する。　
　
　［理由］
１　補正の内容　
　本件補正は、特許請求の範囲について、下記（１）に示す本件補正前の（すなわち、平成２６年１０月３１日付けで提出された手続補正書により補正された）特許請求の範囲を、下記（２）に示す特許請求の範囲へと補正することを含むものである。　
　
（１）本件補正前の特許請求の範囲　
「【請求項１】
地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部と、　
地図情報を出力する指示である地図出力指示を受け付ける受付部と、　
位置を示す情報である位置情報を取得する位置情報取得部と、　
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得部と、　
前記地図情報の取得後に、前記知名度管理情報格納部から、前記地図情報取得部が取得した地図情報が有する１以上の各地点情報に対応する知名度情報を取得する知名度情報取得部と、　
前記地図情報取得部が取得した地図情報が有する地点情報と、前記知名度情報取得部が取得した知名度情報とを対応付け、当該地図情報と知名度情報とを出力する出力部とを備える地図出力装置。　
　【請求項２】　
前記知名度情報は、Ｗｅｂ上の１以上のサーバ装置から取得することが可能な情報である請求項１記載の地図出力装置。　
　【請求項３】　
地点情報に対応する情報であり、前記知名度情報の元となる情報である知名度元情報を、Ｗｅｂ上の１以上のサーバ装置から受信する知名度元情報受信部と、　
前記知名度元情報受信部が受信した知名度元情報を、知名度元情報から知名度情報への変換方法を示す情報である知名度変換情報を用いて、知名度情報に変換し、当該知名度情報を前記地点情報に対応付けて前記知名度管理情報格納部に蓄積する知名度管理情報蓄積部とをさらに備える請求項１または請求項２記載の地図出力装置。　
　【請求項４】　
前記知名度情報取得部による知名度情報の取得の際には、１以上の知名度情報が前記知名度管理情報格納部に予め格納されている請求項１から請求項３いずれか一項に記載の地図出力装置。　
　【請求項５】　
前記知名度情報取得部は、　
予め決められた閾値以上の知名度情報を取得する請求項１から請求項４いずれか一項に記載の地図出力装置。　
　【請求項６】　
地図に関する情報であり、地図上の地点を示す１以上の地点情報を有する情報である地図情報が格納される地図情報格納部と、　
地点情報に対応する情であり、当該地点情報が示す地点の知名度を示す情報である１以上の知名度情報が格納される知名度管理情報格納部と、　
受付部と、位置情報取得部と、地図情報取得部と、知名度情報取得部と、出力部とを用いて行われる地図出力方法であって、　
前記受付部が、　
地図情報を出力する指示である地図出力指示を受け付ける受付ステップと、
前記位置情報取得部が、　
位置を示す情報である位置情報を取得する位置情報取得ステップと、　
前記地図情報取得部が、　
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得ステップと、　
前記知名度情報取得部が、　
前記地図情報の取得後に、前記知名度管理情報格納部から、前記地図情報取得部が取得した地図情報が有する１以上の各地点情報に対応する知名度情報を取得する知名度情報取得ステップと、　
前記出力部が、　
前記地図情報取得部が取得した地図情報が有する地点情報と、前記知名度情報取得部が取得した知名度情報とを対応付け、当該地図情報と知名度情報とを出力する出力ステップとを備える地図出力方法。　
　【請求項７】　
地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部とにアクセス可能なコンピュータを、地図情報を出力する指示である地図出力指示を受け付ける受付部、　
位置を示す情報である位置情報を取得する位置情報取得部、　
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得部、　
前記地図情報の取得後に、前記知名度管理情報格納部から、前記地図情報取得部が取得した地図情報が有する１以上の各地点情報に対応する知名度情報を取得する知名度情報取得部、　
前記地図情報取得部が取得した地図情報が有する地点情報と、前記知名度情報取得部が取得した知名度情報とを対応付け、当該地図情報と知名度情報とを出力する出力部として機能させるためのプログラム。」　
　
（２）本件補正後の特許請求の範囲　
「【請求項１】　
地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部と、　
地図情報を出力する指示である地図出力指示を受け付ける受付部と、　
現在位置を示す現在位置情報または地図情報の表示領域を特定する表示位置情報
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得部と、　
前記地図情報の取得後に、前記知名度管理情報格納部から、前記地図情報取得部が取得した地図情報が有する１以上の各地点情報に対応する知名度情報を取得する知名度情報取得部と、　
前記地図情報取得部が取得した地図情報が有する地点情報と、前記知名度情報取得部が取得した知名度情報とを対応付け、当該地図情報と知名度情報とを出力する出力部とを備える地図出力装置。　
　【請求項２】　
前記知名度情報は、Ｗｅｂ上の１以上のサーバ装置から取得することが可能な情報である請求項１記載の地図出力装置。　
　【請求項３】　
地点情報に対応する情報であり、前記知名度情報の元となる情報である知名度元情報を、　
Ｗｅｂ上の１以上のサーバ装置から受信する知名度元情報受信部と、　
前記知名度元情報受信部が受信した知名度元情報を、知名度元情報から知名度情報への変換方法を示す情報である知名度変換情報を用いて、知名度情報に変換し、当該知名度情報を前記地点情報に対応付けて前記知名度管理情報格納部に蓄積する知名度管理情報蓄積部とをさらに備える請求項１または請求項２記載の地図出力装置。　
　【請求項４】　
前記知名度情報取得部による知名度情報の取得の際には、１以上の知名度情報が前記知名度管理情報格納部に予め格納されている請求項１から請求項３いずれか一項に記載の地図出力装置。　
　【請求項５】　
前記知名度情報取得部は、　
予め決められた閾値以上の知名度情報を取得する請求項１から請求項４いずれか一項に記載の地図出力装置。　
　【請求項６】　
地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部と、　
受付部と、位置情報取得部と、地図情報取得部と、知名度情報取得部と、出力部とを用いて行われる地図出力方法であって、　
前記受付部が、　
地図情報を出力する指示である地図出力指示を受け付ける受付ステップと、
前記位置情報取得部が、　
現在位置を示す現在位置情報または地図情報の表示領域を特定する表示位置情報
前記地図情報取得部が、　
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得ステップと、　
前記知名度情報取得部が、　
前記地図情報の取得後に、前記知名度管理情報格納部から、前記地図情報取得部が取得した地図情報が有する１以上の各地点情報に対応する知名度情報を取得する知名度情報取得ステップと、　
前記出力部が、　
前記地図情報取得部が取得した地図情報が有する地点情報と、前記知名度情報取得部が取得した知名度情報とを対応付け、当該地図情報と知名度情報とを出力する出力ステップとを備える地図出力方法。　
　【請求項７】　
地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部とにアクセス可能なコンピュータを、地図情報を出力する指示である地図出力指示を受け付ける受付部、　
現在位置を示す現在位置情報または地図情報の表示領域を特定する表示位置情報
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得部、　
前記地図情報の取得後に、前記知名度管理情報格納部から、前記地図情報取得部が取得した地図情報が有する１以上の各地点情報に対応する知名度情報を取得する知名度情報取得部、　
前記地図情報取得部が取得した地図情報が有する地点情報と、前記知名度情報取得部が取得した知名度情報とを対応付け、当該地図情報と知名度情報とを出力する出力部として機能させるためのプログラム。」（下線は審決で付した。以下同じ。）　
　
２　補正目的について　
　本件補正により、本件補正前の請求項１、６、及び７の「位置を示す位置情報」を、「現在位置を示す現在位置情報または地図情報の表示領域を特定する表示位置情報である位置情報」と補正する事項（以下「補正事項」という。）が追加されたものである。　
　上記補正事項は、本件補正前の請求項１の「地図出力装置」における「位置を示す位置情報」を「現在位置を示す現在位置情報または地図情報の表示領域を特定する表示位置情報である位置情報」と具体的に特定したものであるから、上記補正事項は、特許法第１７条の２第５項第２号に係る「特許請求の範囲の減縮」を目的とするものに該当する。　
　また、上記補正事項は、特許法第１７条の２第３項及び第４項に違反するところはない。　
　
３　独立特許要件について　
　そこで，本件補正後の前記請求項１に係る発明（以下「本願補正発明」という。）が、特許出願の際独立して特許を受けることができるものであるか（特許法第１７条の２第６項において準用する同法第１２６条第７項の規定に適合するか）について、以下に検討する。　
　
（１）本願補正発明　
　本願補正発明は、平成２７年４月１６日付け手続補正書の特許請求の範囲の請求項１に記載された事項により特定される、上記「１　（２）本件補正後の特許請求の範囲」の【請求項１】に記載したとおりのものと認める。
　
（２）引用刊行物　
　本願の出願前に頒布された特開２００６−１３９４１２号公報（以下「刊行物」という。）には、以下の記載がある。　
ア　「【特許請求の範囲】
【請求項１】
　
外部と通信を行うための通信手段と、
　
あらかじめ所定の記憶領域に格納された地点名又は外部から読み込んだ地点名に基づいて、地点に関する地点情報を前記通信手段を介してＷｅｂサーバから収集する収集手段と、
　
収集された前記地点情報に含まれる住所情報を抽出し、抽出された前記住所情報に基づいて前記地点の位置情報を算出する位置算出手段と、
　
前記位置情報が算出された前記地点情報の件数を集計する解析手段と、
　
あらかじめ所定の記憶領域に格納された地図情報又は外部から読み込んだ地図情報のうち、前記位置算出手段によって算出された前記地点の位置情報に基づいて、前記地点の所定の周辺領域の地図を表示手段に表示させるとともに、前記解析手段によって集計された前記地点情報の件数の関数に相当する面積からなる領域を有する、前記表示手段に表示させる際の表示形体を生成し、生成された前記表示形体を前記地図上に前記地点の位置情報に基づいて表示させる表示制御手段とを、
　
有する情報閲覧装置。
イ　「【背景技術】　
【０００２】　
　従来から、収集した目的地に関するＷｅｂ情報を目的地の位置情報に関連付けて地図上に表示し、表示されたＷｅｂ情報を閲覧させる装置が下記の特許文献１及び２に開示されている。特許文献１及び２に開示されているような装置によれば、目的地に関するＷｅｂ情報を容易に得ることが可能となる。　
【特許文献１】特開平１０−１０３９７７号公報（段落０００６、図１）　
【特許文献２】特開平１０−３００４９０号公報（段落０００６、０００７、図１）　
【発明の開示】　
【発明が解決しようとする課題】　
【０００３】　
　しかしながら、特許文献１及び２に記載の発明では、Ｗｅｂ情報の分布を直感的に把握できる視覚的な表示手法については開示されておらず、収集された目的地における各地点の情報量や特性を概観して比較などをすることができないという問題がある。」　
ウ　「【００１９】　
　まず、本発明の実施の形態に係る情報閲覧装置の構成について図１を用いて説明する。図１に示すように、情報閲覧装置１００は、通信インタフェース１０１、検索エンジン部１０２、アドレスマッチング部１０３、Ｗｅｂ情報解析部１０４、表示デバイス１０５、地図表示部１０６、Ｗｅｂ情報表示部１０７、地点情報格納部１０８、地図情報格納部１０９、選択受付部１１０から構成されている。通信インタフェース１０１は上述の通信手段に、検索エンジン部１０２は上述の収集手段に、アドレスマッチング部１０３は上述の位置算出手段に、Ｗｅｂ情報解析部１０４は上述の解析手段に、表示デバイス１０５は上述の表示手段に、
地図表示部１０６は上述の表示制御手段に、Ｗｅｂ情報表示部１０７は上述の表示制御手段
【００２０】　
　検索エンジン部１０２は、あらかじめ不図示の所定の記憶領域に格納された地点名又は外部から読み込んだ地点名に基づいて、検索エンジンを用いてＷＷＷ（World Wide Web）サーバ１１１（以下、単にＷｅｂサーバとも言う）から地点に関する地点情報を通信インタフェース１０１を介して収集する。ここでの
地点名は、例えば「○○ランド」などの名称であるが、「○○県○○市」などといった市区町村名であってもよい。市区町村名の場合、その市区町村にある観光スポットなどの場所（例えば、××博物館）とその住所とをペアにして収集するようにしてもよい
地点情報とは、ある地点名によって検索エンジンでヒットしたＵＲＬ（Uniform Resource Locator）に対応するページに記載された情報を言う。
【００２１】　
　アドレスマッチング部１０３は、収集された情報（以下、地点情報とも言う）、例えば「○○ランド」に関する情報のそれぞれに対して、ＨＴＭＬ（Hyper Text Markup Language）構造の解析をして住所情報を抽出し、抽出された住所情報に基づいて地点の位置情報を算出する。ここで、住所情報とは、所在を示す情報であって、例えば「○○県○○市○○１−２−３」などという情報を言う。また、位置情報とは、抽出された住所情報から求められる地点の地理的位置であって、例えば緯度及び経度の情報を言う。具体的には、アドレスマッチング部１０３は、例えば、図２に示すような住所文字列と座標情報（緯度及び経度など）とが関連付けられたテーブルに基づいて、抽出された住所情報から地点の位置情報を算出している。このテーブルは不図示の所定の記憶領域に格納されている。そして、アドレスマッチング部１０３は、位置情報が算出された地点情報を地点情報格納部１０８に格納する。なお、アドレスマッチング部１０３は、住所情報を抽出できない、又は位置情報を算出できない地点情報に関しては、破棄するようにしてもよい。　
【００２２】　
　Ｗｅｂ情報解析部１０４は、地点情報格納部１０８に格納された地点情報の件数を集計する。例えば、「○○ランド：１００件」といったように件数を集計する。また、Ｗｅｂ情報解析部１０４は、地点情報格納部１０８に格納された地点情報の文字列に対して、例えば自然言語処理技術などを用いた言語解析を行い、地点情報が評判に関する情報か否かを解析し、評判に関する情報とそれ以外に関する情報とに分類する。ここで、自然言語処理技術とは、人間が日常的に使っている自然言語をコンピュータに理解及び処理させる一連の技術を言う。自然言語処理技術の具体的技術には、形態素解析、構文解析などがある。形態素解析とは、自然言語で書かれた文章を形態素（単語）の列に分割し、品詞を見分けるものを言う。構文解析とは、ある文章の文法的な関係を解析することを言う。　
【００２３】　
　表示デバイス１０５は、
あらかじめ地図情報格納部１０９に格納された地図情報
【００２４】　
　Ｗｅｂ情報表示部１０７は、Ｗｅｂ情報解析部１０４によって集計された地点情報の件数の関数に相当する面積からなる領域を有する表示形体を生成し、生成された表示形体を地図上に地点の位置情報に基づいて表示させる。ここでの関数とは、地点情報の件数が増加するにつれて、表示される面積の領域が大きくなるような関数を言い、例えば比例的な関数や対数的な関数を言う。なお、件数の関数に相当する面積とあるが、３次元表示の場合には、この面積は体積などに相当する。また、表示形体とは、表示デバイス１０５に表示させる際の表示の態様を言い、例えば円形状、円筒形状などである。
【００２５】　
　具体的には、Ｗｅｂ情報表示部１０７は、Ｗｅｂ情報解析部１０４によって地点情報が集計され、「○○ランド」に関する地点情報が１００件あった場合に、１００件に相当する、例えば円形状を生成し、生成した円形状を「○○ランド」の位置情報、例えば緯度ｘ度、経度ｙ度に基づいて、表示デバイス１０５に表示されている地図上の相当する位置に表示させる。また、Ｗｅｂ情報表示部１０７は、Ｗｅｂ情報解析部１０４によって分類された評判に関する情報とそれ以外に関する情報との件数の割合を、表示形体と共に表示デバイス１０５に表示させる。また、Ｗｅｂ情報表示部１０７は、Ｗｅｂ情報解析部１０４によって分類された評判に関する情報とそれ以外に関する情報との件数の割合を表示させる場合に、表示デバイス１０５に表示されている表示形体の表示領域を、分類された評判に関する情報とそれ以外に関する情報との件数の割合に基づいて区分けして表示させることも可能である。
【００２６】　
　ここで、Ｗｅｂ情報表示部１０７は、１つの地点、例えば「○○ランド」のみの表示形体を表示デバイス１０５に表示させるだけでなく、複数の地点、例えば後述する図３に示す「○○ランド」、「××博物館」、「▲▲観音」、「○○○ワールド」、「道の駅○○○」、「◇◇◇王国」のそれぞれの表示形体を表示デバイス１０５に表示させることも可能である。それぞれの地点に関して、上述したような処理を行い、それぞれの情報を所定の記憶領域に格納しておくことにより、複数の表示形体の表示も可能となる。また、Ｗｅｂ情報表示部１０７は、例えば件数（ヒット件数）の多い１０の地点についてのみ表示させるようにすることも可能である。このように、Ｗｅｂ情報表示部１０７は、フィルタリングを行うことにより、所望の情報内容を閲覧させることができる。なお、上述した
地図表示部１０６の処理とＷｅｂ情報表示部１０７の処理とを１つの制御部が行うようにしてもよい
【００２７】　
　ここで、表示デバイス１０５に表示された表示例について図３及び図４を用いて説明する。図３は表示形体が円形状の３Ｄ表示の表示例である。なお、３Ｄ表示させるだけでなく２次元表示させることも可能であるが、後述する図３〜図６では３Ｄ表示の場合について説明する。図３に示すように、表示デバイス１０５の表示画面３００には、地図３０１と複数の円形状の表示形体が表示されている。図３から、「○○ランド」が１００件で最も件数が多く、「××博物館」が７０件で２番目に件数が多いことがわかる。ここで、表示デバイス１０５に表示された表示形体にユーザが触れたりすることによって選択することにより、選択受付部１１０は、選択された表示形体がどれかを識別し、選択された表示形体がどれかをＷｅｂ情報表示部１０７に通知し、Ｗｅｂ情報表示部１０７は、選択された表示形体の地点情報の一覧などを表示デバイス１０５に表示させる。そして、表示された一覧の中からユーザが所望の地点情報を閲覧するために、表示デバイス１０５上を触れたりすることで、Ｗｅｂ情報表示部１０７はユーザが所望する地点情報の内容を表示させることも可能である。後述する図４から図６においても同様に考えられる。このように、Ｗｅｂ上に存在するその地点に関する情報を視覚的に判断できるため容易に閲覧することができる。なお、図３の表示画面３００の右下隅には距離の目安となるバーが表示されているが、このバーは表示しないように設定することも可能である。後述する図４から図６においても同様である。　
【００２８】　
　図４は表示形体が円筒形状の３Ｄ表示の表示例である。図４に示すように、地図４００上に複数の円筒形状の表示形体が表示されている。図４からも、図３と同様に「○○ランド」が１００件で最も件数が多く、「××博物館」が７０件で２番目に件数が多いことがわかる。ここで、図３及び図４のように件数が表示形体で表されるだけでなく、上述したように、収集した情報を口コミ情報や個人の感想情報などの評判情報とそれ以外の情報とに分類して、例えば色分けして表示するようにすることも可能である。評判情報とそれ以外の情報との分類は、上述したようにＷｅｂ情報解析部１０４によって自然言語処理技術を用いてなされる。そして、Ｗｅｂ情報表示部１０７によって表示デバイス１０５に表示される。　
【００２９】　
　ここで、評判情報とそれ以外の情報とに分類した表示例を図５を用いて説明する。図５は図４の円筒形状を用いた表示例である。なお、図３の円形状を用いても表示することは可能である。図５に示すように、例えば「○○ランド」に関しては、円筒形状の表示領域は、ある色で表示された表示領域５００と他の色で表示された表示領域５０１とに色分けされている。この場合、例えば、表示領域５００が評判情報を示し、表示領域５０１がそれ以外の情報を示している。他の地点「××博物館」などに関しても同様に考えられる。なお、上述のように表示領域を色分けせずに、評判情報とそれ以外の情報との件数を表示する、又は割合を表示するようにしてもよい。このようにすることにより、個人の感想などの生の声の情報がＷｅｂ上にどれくらい存在するのか視覚的に概観・比較することができる。　
【００３０】　
　また、娯楽・観光（遊園地、テーマパークなど）、宿泊施設（ホテル、旅館など）、飲食施設（レストラン、中華料理店、蕎麦屋など）などのカテゴリに分けて、カテゴリごとに色分けをして表示させるようにしてもよい。この場合の表示例を図６を用いて説明する。図６は図４の円筒形状を用いた表示例である。なお、図３の円形状を用いても表示することは可能である。図６に示すように、例えば、「○○ランド」は娯楽・観光のカテゴリに属することから、娯楽・観光のカテゴリの所定の色（例えば、赤色）で円筒形状の表示領域６００が表示され、「■■ホテル」は宿泊施設のカテゴリに属することから、宿泊施設のカテゴリの所定の色（例えば、青色）で円筒形状の表示領域６０１が表示され、「□□レストラン」は飲食施設のカテゴリに属することから、飲食施設のカテゴリの所定の色（例えば、黄色）で円筒形状の表示領域６０２が表示される。　
【００３１】　
　次に、本発明の実施の形態に係る情報閲覧装置における情報の表示処理フローについて図７を用いて説明する。図７に示すように、検索エンジン部１０２は、あらかじめ所定の記憶領域に格納された地点名又は外部から読み込んだ地点名に基づいて、検索エンジンを用いてＷｅｂサーバ１１１から地点に関する地点情報を通信インタフェース１０１を介して収集しておく(ステップＳ７０１)。アドレスマッチング部１０３は、収集された地点情報、例えば「○○ランド」に関する情報のそれぞれに対して、ＨＴＭＬ構造の解析をして住所情報を抽出し、抽出された住所情報に基づいて地点の位置情報を算出する（ステップＳ７０２）。Ｗｅｂ情報解析部１０４は、アドレスマッチング部１０３によって地点情報格納部１０８に格納された地点情報の件数を集計する（ステップＳ７０３）。　
【００３２】　
　地図表示部１０６は、地図情報格納部１０９に格納された地図情報を表示デバイス１０５に表示させる（ステップＳ７０４）。Ｗｅｂ情報表示部１０７は、Ｗｅｂ情報解析部１０４によって集計された地点情報の件数を反映させた表示形体を生成し、生成された表示形体を地図上に地点の位置情報に基づいて表示させる（ステップＳ７０５）。なお、Ｗｅｂ情報表示部１０７は、Ｗｅｂ情報解析部１０４による評判情報とそれ以外の情報との分類に基づいて、図５のように表示デバイス１０５に表示させることも可能である。また、図６のようにカテゴリ別に色分けして表示デバイス１０５に表示させることも可能である。　
【００３３】　
　以上のように、本発明の実施の形態に係る情報閲覧装置によれば、旅行時に特定の地域周辺の観光スポットなどを探索する場合に、Ｗｅｂ上でどれくらいの情報が存在するのかを視覚的に比較しながら探索することが可能となる。さらに、地図上に表示された表示形体（地点）を選択することでＷｅｂ上に存在するその地点に関する公式情報や評判情報を容易に閲覧することが可能となり、面倒なキーワード検索などを行うことなく、旅行のプランニングをすることが可能となる。」　
エ　
　
オ　【図３】より、表示デバイスの表示画面に表示された地図３０１に、
解析手段によって集計された地点情報の件数の関数に相当する面積からなる領域を有する表示形体が、地点名と共に、表示されていること
カ　
　
キ　【図７】より、
情報閲覧装置における情報の表示処理フローが、「開始」後、検索エンジン部は、Ｗｅｂサーバから地点情報を収集するステップ、アドレスマッチング部は、地点の位置情報を算出するステップ、Ｗｅｂ情報解析部は、地点情報の件数を集計するステップ、地図表示部は、地図情報を表示デバイスに表示させるステップ、Ｗｅｂ情報表示部は、地点情報の件数を反映させた表示形体を生成し、地図上に地点の位置情報に基づいて表示させるステップ、からなること
　
　そうすると、上記ア乃至キの記載事項から、刊行物には、次の発明（以下「引用発明」という。）が記載されているものと認められる。　
　
「外部と通信を行うための通信手段と、　
　例えば「○○ランド」などの名称、「○○県○○市」などといった市区町村名、市区町村名の場合、その市区町村にある観光スポットなどの場所（例えば、××博物館）とその住所とのペアであって、あらかじめ所定の記憶領域に格納された地点名又は外部から読み込んだ地点名に基づいて、検索エンジンでヒットしたＵＲＬ（Uniform Resource Locator）に対応するページに記載された情報である地点情報を前記通信手段を介してＷｅｂサーバから収集する収集手段と、　
　収集された前記地点情報に含まれる住所情報を抽出し、抽出された前記住所情報に基づいて前記地点の位置情報を算出する位置算出手段と、　
　前記位置情報が算出された前記地点情報の件数を集計する解析手段と、　
　あらかじめ地図情報格納部に格納された地図情報又は外部から読み込んだ地図情報のうち、前記位置算出手段によって算出された前記地点の位置情報に基づいて、前記地点の所定の周辺領域の地図を表示手段に表示させるとともに、前記解析手段によって集計された前記地点情報の件数の関数に相当する面積からなる領域を有する、前記表示手段に表示させる際の表示形体を生成し、生成された前記表示形体を前記地図上に前記地点の位置情報に基づいて地点名と共に、表示させる表示制御手段とを有し、　
　情報の表示処理フローが、「開始」後、検索エンジン部は、Ｗｅｂサーバから地点情報を収集するステップ、アドレスマッチング部は、地点の位置情報を算出するステップ、Ｗｅｂ情報解析部は、地点情報の件数を集計するステップ、地図表示部は、地図情報を表示デバイスに表示させるステップ、Ｗｅｂ情報表示部は、地点情報の件数を反映させた表示形体を生成し、地図上に地点の位置情報に基づいて表示させるステップ、からなる、情報閲覧装置。」　
　
（３）対比　
　そこで、本願補正発明と引用発明とを対比すると、　
ア　後者の「地図」、「地点」、「地点名」、「地図情報」及び「地図情報格納部」は、それぞれ、前者の「地図」、「地点」、「地点情報」、「地図情報」及び「地図情報格納部」、に相当する。　
イ　本願明細書の【００２６】には、「知名度情報は、例えば、対応する地点名称をＷｅｂ上の検索エンジンで検索した際の検索件数（ヒット件数）」と記載されており、引用発明の「地点情報」は、あらかじめ所定の記憶領域に格納された地点名又は外部から読み込んだ地点名に基づいて、検索エンジンでヒットしたＵＲＬ（Uniform Resource Locator）に対応するページに記載された情報であるから、引用発明の「地点情報の件数」本願補正発明の「知名度」に相当する。　
　そうすると、引用発明の「解析手段」が、「地点情報の件数」を集計するものであること、及び、引用発明の「表示制御手段」が、解析手段によって集計された「地点情報の件数」の関数に相当する面積からなる領域を有する、表示手段に表示させる際の表示形体を生成していることから、引用発明の「情報閲覧装置」が、集計した「地点情報の件数」を格納していることは明らかである。そして、引用発明の「情報閲覧装置」は、地点情報に対応する情報であり、地点情報が示す地点の知名度を示す情報である１以上の知名度情報が格納される知名度管理情報格納部を有するものであることは明らかである。　
　したがって、引用発明は、地点情報に対応する情報であり、当該地点情報が示す地点の知名度を示す情報である１以上の知名度情報が格納される知名度管理情報格納部を有するといえる。　
ウ　一般に、情報処理装置における処理フローは、何らかの指示・命令により開始されるものであって、情報処理装置が、該指示・命令を受け付ける手段を有することは明らかな事項である。　
　そうすると、引用発明は、地図、表示形体及び地点名を表示させるものであるから、地図情報を出力する指示である地図出力指示を受け付ける受付部を有することは明らかである。　
エ　後者の「地点の位置情報」は、それに基づいて、地点の所定の周辺領域の地図を表示手段に表示させるものであるから、前者の「地図情報の表示領域を特定する表示位置情報である位置情報」に相当する。　
オ　後者の「位置算出手段」は、地点情報に含まれる住所情報に基づいて位置情報を算出するものであるから、前者の「位置情報取得部」に相当する。
カ　引用発明における表示処理フローは、「地図表示部は、地図情報を表示デバイスに表示させるステップ、Ｗｅｂ情報表示部は、地点情報の件数を反映させた表示形体を生成し、地図上に地点の位置情報に基づいて表示させるステップ」というように、地図情報を表示デバイスに表示させた後に、地点情報の件数を反映させた表示形体を生成するものである。　
　すなわち、引用発明は、地点の地点情報の件数を反映させた表示形体を生成する前に、地図上の地点の位置情報に基づいて地図情報を地図情報格納部から取得しているものであるから、地図情報の取得後に、知名度管理情報格納部から、地図情報取得部が取得した地図情報が有する１以上の各地点情報に対応する知名度情報を取得する知名度情報取得部を有するといえる。
キ　後者の「表示制御手段」は、地点の位置情報に基づいて、地点の所定の周辺領域の地図を地点名と共に、表示手段に表示させるものであるから、地図情報取得部が取得した地図情報が有する地点情報と、当該地図情報とを出力する出力部を備えるといえる。　
ク　引用発明の「表示制御手段」は、地点情報の件数を反映させた表示形体を地図上に地点の位置情報に基づいて地点名と共に、表示させるものであるから、引用発明は、地図情報取得部が取得した地図情報が有する地点情報と、知名度情報取得部が取得した知名度情報とを対応付け、地図情報と知名度情報とを出力する出力部を有するといえる。　
ケ　後者の「情報閲覧装置」は、表示デバイスに、地図情報と、地点情報の件数を反映させた表示形体を、地図上の地点の位置情報に基づいて表示させるものであるから、「地図出力装置」との概念で共通する。　
　
　してみると、両者に実質的な差異はなく、本願補正発明の発明特定事項は、すべて引用発明が備えているから、本願補正発明は、引用発明と同一である。　
　
　したがって，本願補正発明は，引用発明であるから，特許法第２９条第１項第３号に該当し、特許を受けることができない。　
　
（５）むすび　
　以上のとおりであって、本件補正は、特許法第１７条の２第６項において準用する同法第１２６条第７項の規定に違反するので、同法第１５９条第１項の規定において読み替えて準用する同法第５３条第１項の規定により却下すべきものである。　
　
　
第３　本願発明について　
１　本願発明　
　本件補正は上記第２のとおり却下されたので、本願の請求項１に係る発明は、平成２６年１０月３１日付けの特許請求の範囲の請求項１に記載された事項によって特定される次のとおりのものである。　
「地図に関する情報であり、地図上の地点を示す１以上の地点情報を有する情報である地図情報が格納される地図情報格納部と、　
地点情報に対応する情報であり、当該地点情報が示す地点の知名度を示す情報である１以上の知名度情報が格納される知名度管理情報格納部と、　
地図情報を出力する指示である地図出力指示を受け付ける受付部と、　
位置を示す情報である位置情報を取得する位置情報取得部と、　
前記地図出力指示の受け付けに応じて、前記地図情報格納部から、当該地図出力指示に対応する地図情報を取得する、または、前記位置情報の取得に応じて、前記地図情報格納部から、当該位置情報に対応する地図情報を取得する地図情報取得部と、　
前記地図情報の取得後に、前記知名度管理情報格納部から、前記地図情報取得部が取得した地図情報が有する１以上の各地点情報に対応する知名度情報を取得する知名度情報取得部と、　
前記地図情報取得部が取得した地図情報が有する地点情報と、前記知名度情報取得部が取得した知名度情報とを対応付け、当該地図情報と知名度情報とを出力する出力部とを備える地図出力装置。」（以下「本願発明」という。）　
　
２　引用刊行物
　平成２６年９月１２日付けの拒絶の理由に引用された刊行物、及び、その記載内容は上記「第２　３　（２）引用刊行物」に記載したとおりである。
　
３　対比　
　本願発明は、上記「第２　３　（１）本願補正発明」で検討した本願補正発明の「現在位置を示す現在位置情報または地図情報の表示領域を特定する表示位置情報である位置情報」に関して、「現在」及び「現在位置情報または地図情報の表示領域を特定する表示位置情報である位置」との限定を省くものである。　
　そうすると、本願発明と引用発明とを対比した場合の相違点は、実質的に、上記「第２　３　（３）対比」で挙げた相違点１乃至相違点５の点となる。　
　そして、上記「第２　３　（４）判断」における検討内容を踏まえれば、上記相違点１乃至相違点５は、実質的な相違点ではないから、本願発明は、引用発明とを対比した場合の相違点は、実質的にないこととなる。　
　したがって、本願発明の発明特定事項は、すべて引用発明が備えているから、本願発明は、引用発明と同一である。　
　したがって，本願発明は，引用発明であるから，特許法第２９条第１項第３号に該当し、特許を受けることができない。　
　
４　むすび　
　以上のとおりであるから、本願発明は、引用発明に記載されたものであるから、特許法第２９条第１項第３号に該当し、特許を受けることができない。　
　
　
よって、結論のとおり審決する。